(57)【要約】【課題】本発明は、インターネット、メディア利用の通販時代における商品輸送中の保護を図るコンテナを提供する。【解決手段】上下の端面が開口し、周側面が正面板部、背面板部、左側面板部、右側面板部から設けられ、内方が収容部に設けられる方形函主体と、前記方形函主体の上下端の開口に連接して内方を閉鎖し、折畳み時の方形函主体を収容する天蓋板部と底蓋板部よりなる方形函付属体とから設けられ、前記方形函主体の正面板部と背面板部における左側端部と右側端部とが前記左側面板部と右側面板部を縦長軸蝶番により二つ折り自在に連結され、前記天板蓋部対して前記方形函主体の正面板部は横長軸蝶番により曲折自在に連結され、前記底板蓋部に対して前記方形函主体の背面板部が曲折自在に連結されてなるコンテナ。【選択図】図１
2017197227.tif 000002
【特許請求の範囲】
【請求項１】
上下の端面が開口し、周側面が正面板部、背面板部、左側面板部、右側面板部から設けられ、内方が収容部に設けられる方形函主体と、該方形函主体の上下の端面の開口に連接して内方を閉鎖し、かつ、折畳み時の方形函主体を内方に収容する天蓋板部と底蓋板部よりなる方形函付属体とから設けられるコンテナにおいて、前記方形函主体の左側面板部と右側面板部が正面側と背面側に分割して設けられると共に夫々の分割端が中間連結縦長軸蝶番により夫々二つ折り自在に連結され、前記方形函主体の正面板部における左側端部と右側端部に前記左側面板部の正面側左側面板部と右側面板部の正面側右側面板部が夫々基端連結縦長軸蝶番により内方に曲折自在に連結され、前記方形函主体の正面板部と前記方形函付属体の天板蓋部の正面壁部とに正面板部連結横長軸蝶番が配備されて方形函主体の正面板部が方形函付属体の天板蓋部に対して曲折自在に連結され、前記方形函主体の背面板部における左側端部と右側端部とに前記左側面板部の背面側左側面板部と右側面板部の背面側右側面板部が夫々基端連結縦長軸蝶番により内方に曲折自在に連結され、前記方形函主体の背面板部と前記方形函付属体の底板蓋部の背面壁部に背面板部連結横長軸蝶番が配備されて方形函主体の背面板部が方形函付属体の底板蓋部に対して曲折自在に連結されてなるコンテナ。
【請求項２】
前記方形函主体の正面板部は、組立時に、その上端面が前記方形函付属体の天板蓋部の正面壁部の下端面に、その下端面が前記方形函付属体の底板蓋部の正面壁部の上端面に夫々連接可能に、折畳み時に、方形函主体の正面板部が前記方形函付属体の天板蓋部と底板蓋部の内側に格納可能に設けられてなる請求項１のコンテナ。
【請求項３】
前記方形函主体の背面板部は、組立時に、その上端面が前記方形函付属体の天板蓋部の背面壁部の下端面に、その下端面が前記方形函付属体の底板蓋部の背面壁部の上端面に夫々に連接面可能に、折畳み時に、方形函主体の背面板部が前記方形函付属体の天板蓋部と底板蓋部の内側に格納可能に設けられてなる請求項１又は請求項２のコンテナ。
【請求項４】
前記方形函主体の左側面板部は、中間から正面側左側面板部と背面側左側面板部に二分割されて設けられ、その正面側左側面板部の正面側左側面板部基端部は、内側へ所要幅曲折して内端面が形成され、該内端面が前記正面板部の左側端面に外側から対面し、前記背面側左側面板部の背面側左側面板部基端部は、内側へ所要幅曲折して内端面が形成され、該内端面が前記背面板部の左側端面に外側から対面し、前記方形函主体の左側面板部の正面側左側面板部の中間連結部寄り外面と背面側左側面板部の中間連結部寄り外面に中間連結縦長軸蝶番が差渡されて配備され、正面側左側面板部と背面側左側面板部は内側に曲折自在に連結されてなる請求項１、請求項２又は請求項３のコンテナ。
【請求項５】
前記方形函主体の右側面板部は、中間から正面側右側面板部と背面側右側面板部に二分割されて設けられ、その正面側右側面板部基端部は、内側へ所要幅曲折して内端面が形成され、該内端面が前記方形函主体の正面板部の右側端面に外側から対面し、前記背面側右側面板部の背面側右側面板部基端部は、内側へ所要幅曲折して内端面が形成され、該内端面が前記背面板部の右側端面に外側から対面し、前記方形函主体の右側面板部の正面側右側面板部の正面側右側面板部中間連結部寄り外面と背面側右側面板部の背面側右側面板部中間連結部寄り外面とに中間連結縦長軸蝶番が差渡されて配備され、正面側右側面板部と背面側右側面板部は内側に曲折自在に連結されてなる請求項１、請求項２、請求項３又は請求項４のコンテナ。
【請求項６】
前記方形函付属体の天板蓋部は、天面板部の周囲に、正面壁部、背面壁部、左側面壁部及び右側面壁部が接続されて方形函型に形成され、該天板蓋部と前記方形函主体の連結構成により天板蓋部の下端面が前記方形函主体の正面板部、背面板部、左側面板部及び右側面板部の上端面に連接するように設けられてなる請求項１、請求項２、請求項３、請求項４又は請求項５のコンテナ。
【請求項７】
前記方形函付属体の底板蓋部は、底面板部の周囲に、正面壁部、背面壁部、左側面壁部及び右側面壁部が接続されて方形函型に形成され、該底板蓋部と前記方形函主体の連結構成により底板蓋部の上端面が方形函主体の正面板部、背面板部、左側面板部及び右側面板部の下端面に連接するように設けられてなる請求項１、請求項２、請求項３、請求項４、請求項５又は請求項６のコンテナ。
【請求項８】
前記天板蓋部は上下に二分割されて天板蓋部基体と天板蓋部蓋体が設けられ、両者の間に開閉用横長蝶番が差渡されて前記天板蓋部蓋体が前記天板蓋部基体に対して開閉自在に連結される共に天板蓋部基体と天板蓋部蓋体に開閉ロック具が配備されて両者の開閉がロック自在に設けられてなる請求項１、請求項２、請求項３、請求項４、請求項５、請求項６又は請求項７のコンテナ。
【発明の詳細な説明】
【技術分野】
【０００１】
本発明は、各種商品の運搬、保管に用いるコンテナに関するものである。
【背景技術】
【０００２】
特許文献１には、フォークリフト用の差込部を有する架台と、架台上に設けられた直方体状のコンテナ本体とからなる架台付コンテナにおいて、コンテナ本体は、扉を有する前板と、後板と、両側板とからなる上下に開放した壁体に、天板と底板とが塞ぐように内嵌して構成されており、天板及び底板はそれぞれ前縁又は後縁を支点に内側へ回動自在となっており、両側板はそれぞれ前後方向に並んで連結された複数枚の板体からなって前後方向に折畳み自在となっており、架台は、両側部がそれぞれ前後方向に並んで連結された複数の部材からなってフォークリフト用の差込部を塞がないようコンテナ本体の両側板と共に前後方向に折畳み自在となっていることを特徴とする折畳み式架台付コンテナが提案されている。
【０００３】
特許文献２には、後板部材の上辺部位と天板部材の後辺部位とが曲折自在に連結されており、後板部材の下辺部位と底板部材の後辺部位とが曲折自在に連結されている。底板部材の前辺部位と前板部材の下辺部位とが曲折自在に連結されており、後板部材の左辺部位と左板部材の後辺部位とが曲折自在に連結されている。後板部材の右辺部位と右板部材の後辺部位とが曲折自在に連結されているので、組立状態から折畳み状態に可変する場合には、例えば、上方に開口させた天板部材を後方から下方まで回動させ、前板部材を前方に開口させてから左板部材と右板部材と底板部材とを後方に回動させ、これら各板部材に前板部材も重ね合せれば良いコンテナ装置が提案されている。
【０００４】
特許文献３には、第２の側板４２０の上側縁部に、ラッチ部４３１を有する側板止め金具４３０を設置する。ラッチ部４３１は、傾斜面４３１ａを有しており、第２の側板４２０を引き起こす場合には、第１の側板４１０の掛止板４１３が傾斜面４３１ａに当接してこれをスライド移動させ、第２の側板４２０の外面とラッチ部４３１との間に掛止板４１３が挟持された状態となり、第２の側板４２０は立設状態とされる。一端掛止板４１３を挟持すると、第２の側板４２０を内側方向に倒そうとしてもラッチ部４３１により掛止板４１３の移動が制限される折畳み式コンテナが提案されている。
【０００５】
【特許文献１】実開平４−１２４９１９号公報
【特許文献２】特開２００５−２５５２４０号公報
【特許文献３】特開３１５７７１７号公報
【発明の開示】
【発明が解決しようとする課題】
【０００６】
前記特許文献１の発明では、両側板が前後方向に並んでロックされ、かつ前後方向に折畳み自在に設けられ、架台は、両側部がそれぞれ前後方向に並んで連結された複数枚の部材からなってフォークリフト用の差込部を塞がないように、コンテナ本体の両側板と共に前後方向に折畳み自在となっていることを構成の特徴とし、折畳み時のスペースの最小化と組立時と折畳み時のフォークリフトの利用を可能とする差込部の配備にあるものである。
【０００７】
前記特許文献２のコンテナ装置は、後板部材の上縁と下縁と左右縁の四縁に夫々天板部材、底板部材、左板部材と右板部材の対応縁が曲折自在に連結され、かつ前記底板部材の前縁に前板部材の対応縁が曲折自在に連結され、後板部材に対して展開と折畳みが可能なものであるから各面の板部材ごとに折畳み作業と展開作業を必要とする欠点がある。
【０００８】
特許文献３には、第１の側板４１０と第２の側板４２０ともに上下の二個所を支軸により連結される構成になっているから、それらを二個所で連結できる強度にアップし、堅牢に構成する必要がある。また、蓋部材５００については、前記第１の側板４１０又は第２の側板４２０に連結されていないから折畳み易さを活かす連結構成の提案がなされていない。
【０００９】
本発明は、前記特許文献１、２及び第３特許文献のコンテナに対して、一層の展開作業との折畳み作業の簡易化及び全体の堅牢化を目的になされたものである。
【課題を解決するための手段】
【００１０】
上下の端面が開口し、周側面が正面板部、背面板部、左側面板部、右側面板部から設けられ、内方が収容部に設けられる方形函主体と、該方形函主体の上下の端面の開口に連接して内方を閉鎖し、かつ、折畳み時の方形函主体を内方に収容する天蓋板部と底蓋板部よりなる方形函付属体とから設けられるコンテナにおいて、前記方形函主体の左側面板部と右側面板部が正面側と背面側に分割して設けられると共に夫々の分割端が中間連結縦長軸蝶番により夫々二つ折り自在に連結され、前記方形函主体の正面板部における左側端部と右側端部に前記左側面板部の正面側左側面板部と右側面板部の正面側右側面板部が夫々基端連結縦長軸蝶番により内方に曲折自在に連結され、前記方形函主体の正面板部と前記方形函付属体の天板蓋部の正面壁部とに正面板部連結横長軸蝶番が配備されて方形函主体の正面板部が方形函付属体の天板蓋部に対して曲折自在に連結され、前記方形函主体の背面板部における左側端部と右側端部に前記左側面板部の背面側左側面板部と右側面板部の背面側右側面板部が夫々基端連結縦長軸蝶番により内方に曲折自在に連結され、前記方形函主体の背面板部と前記方形函付属体の底板蓋部の背面壁部に背面板部連結横長軸蝶番が配備されて方形函主体の背面板部が方形函付属体の底板蓋部に対して曲折自在に連結されてなるコンテナにある。
【００１１】
前記方形函主体の正面板部は、組立時に、その上端面が前記方形函付属体の天板蓋部の正面壁部の下端面に、その下端面が前記方形函付属体の底板蓋部の正面壁部の上端面に夫々連接可能に、折畳み時に、方形函主体の正面板部が前記方形函付属体の天板蓋部と底板蓋部の内側に格納可能に設けられてなるコンテナとしてもよいものである。
【００１２】
前記方形函主体の背面板部は、組立時に、その上端面が前記方形函付属体の天板蓋部の背面壁部の下端面に、その下端面が前記方形函付属体の底板蓋部の背面壁部の上端面に夫々に連接面可能に、折畳み時に、方形函主体の背面板部が前記方形函付属体の天板蓋部と底板蓋部の内側に格納可能に設けられてなるコンテナとしてもよいものである。
【００１３】
前記方形函主体の左側面板部は、中間から正面側左側面板部と背面側左側面板部に二分割されて設けられ、その正面側左側面板部の正面側左側面板部基端部は、内側へ所要幅曲折して内端面が形成され、該内端面が、前記正面板部の左側端面に対面し、前記背面側左側面板部の背面側左側面板部基端部は、内側へ所要幅曲折して内端面が形成され、該内端面が、前記背面板部の左側端面に対面し、前記方形函主体の左側面板部の正面側左側面板部の中間連結部寄り外面と背面側左側面板部の中間連結部寄り外面に中間連結縦長軸蝶番が差渡されて配備され、正面側左側面板部と背面側左側面板部は内側に曲折自在に連結されてなるコンテナとしてもよいものである。
【００１４】
前記方形函主体の右側面板部は、中間から正面側右側面板部と背面側右側面板部に二分割されて設けられ、その正面側右側面板部基端部は、内側へ所要幅曲折して内端面が形成され、該内端面が、前記方形函主体の正面板部の右側端面に対面し、前記背面側右側面板部の背面側右側面板部基端部は、内側へ所要幅曲折して内端面が形成され、該内端面が、前記背面板部の右側端面に対面し、前記方形函主体の右側面板部の正面側右側面板部の中間連結部寄り外面と背面側右側面板部の中間連結部寄り外面に中間連結縦長軸蝶番が差渡されて配備され、正面側右側面板部と背面側右側面板部は内側に曲折自在に連結されてなるコンテナとしてもよいものである。
【００１５】
前記方形函付属体の天板蓋部は、天面板部の周囲に、正面壁部、背面壁部、左側面壁部及び右側面壁部が接続されて方形函型に形成され、該天板蓋部と前記方形函主体の連結構成により天板蓋部の下端面が前記方形函主体の正面板部、背面板部、左側面板部及び右側面板部の上端面に連接するように設けられてなるコンテナとしてもよいものである。
【００１６】
前記方形函付属体の底板蓋部は、底面板部の周囲に、正面壁部、背面壁部、左側面壁部及び右側面壁部が接続されて方形函型に形成され、該底板蓋部と前記方形函主体の連結構成により底板蓋部の上端面が方形函主体の正面板部、背面板部、左側面板部及び右側面板部の下端面に連接するように設けられてなるコンテナとしてもよいものである。
【００１７】
前記天板蓋部は上下に二分割されて天板蓋部基体と天板蓋部蓋体が設けられ、両者の間に開閉用横長蝶番が差渡されて前記天板蓋部蓋体が前記天板蓋部基体に対して開閉自在に連結される共に天板蓋部基体と天板蓋部蓋体に開閉ロック具が配備されて両者の開閉がロック自在に設けられてなるコンテナとしてもよいものである。
【発明の効果】
【００１８】
本発明のコンテナは、前述のように構成しているので、組立完了状態において、底板蓋部を床面等に定置し、方形函主体の左方形函主体の左側面板部と右側面板部の中間連結部を夫々内側に押し込み、また、天板蓋部を背面側へ水平方向に移動させると、左側面板部と右側面板部は、夫々の基端連結部と中間連結部の縦長軸蝶番を中心に回動し、二つ折りし、天板蓋部と底板蓋部を前後に齟齬し、方形函主体の正面板部と背面板部との間に折畳むことができる。そして、方形函主体の正面板部と天板蓋部を連結する正面板部連結横長軸蝶番と方形函主体の背面板部と底板蓋部を連結する背面板部横長軸蝶番を中心に方形函主体の正面板部と背面板部を左側面板部と右側面板部と共に移動方向に転倒させて、それらを底板蓋部と天板蓋部の内部に折畳み状態で収容することができる。
【００１９】
天板蓋部と底板蓋部の左側面壁部と右側面壁部において、正面板部寄りと背面板部寄りの二個所以上で、かつ、上下に対応してロック具が配備されるから、底板蓋部と天板蓋部を積重状態にロックすることができ、保管、輸送に好適である。
【００２０】
また、函体の左側面板部と右側面板部との上縁寄り外面と下縁寄り外面には、前記天板蓋部と底板蓋部のロック具と対応するロック具が配備されるから、組立状態をロックすることができ、保管、輸送における収容物の保護機能に優れている。
【００２１】
よって、本発明のコンテナは、前記特許文献１及び２の被梱包物に適合する個別対応型から生じる緩衝部材の複雑化と多数個化を解消する汎用型であって前記特許文献３の二層構造緩衝材から一層構造緩衝材へ簡略化し、被梱包物に対する緩衝保護機能に加えて防滴及び反復利用のための清潔機能等の多機能を付与するものである。
【図面の簡単な説明】
【００２２】
【図１】本発明のコンテナの第１実施例の組立完了状態を示す左上方からの正面斜視図である。
【図２】同じく、本発明のコンテナの第１実施例の組立完了状態を示す右上方からの背面斜視図である。
【図３】図１のＡ−Ａ線に沿う縦断面図で、本発明のコンテナの第１実施例の組立完了状態の正面板部、背面板部及び二つ折り左右側面板部の連結構造と、正面板部の天板蓋部の連結構造と、背面板部の底板蓋部の連結構造を夫々説明する。
【図４】本発明のコンテナの第１実施例の組立完了状態から、正面板部、背面板部及び二つ折り左右側面板部を折畳み移動し、その格納工程を示す一部切欠き正面斜視図である。
【図５】同じく、本発明のコンテナの第１実施例の組立完了状態から、折畳み格納工程において、左右側面板部の二つ折り折畳み状態を示す正面斜視図である。
【図６】同じく、図５の状態において、左右側面板部の二つ折り折畳み状態を説明する横断平面図である。
【図７】同じく、折畳み格納工程において、折畳み完了状態の正面斜視図である。
【図８】同じく、図７の折畳み完了状態において、正面板部、背面板部及び二つ折り左右側面板部の連結構造と、正面板部の天板蓋部の連結構造と、背面板部の底板蓋部の連結構造を夫々説明する縦断面図である。
【図９】同じく、折畳み格納工程において、折畳み完了状態の背面斜視図である。
【図１０】本発明の方形函主体を折畳み天蓋板部と底蓋板部に収容するコンテナの第１実施例の組立完了状態において、収容物を出し入れする開口部を天板蓋部に設けた第２の実施例を示す左上方からの正面斜視図である。
【図１１】同じく、組立完了状態において、収容物を出し入れする開口部を天板蓋部に設けた第２の実施例を示す右上方からの背面斜視図である。
【図１２】天板蓋体の正面壁部と方形函主体の正面板部を連結する正面板部連結横長軸蝶番の第１の実施例を示す縦断面部分説明図である。
【図１３】同じく、天板蓋体の正面壁部と方形函主体の正面板部を連結する正面板部連結横長軸蝶番の第２の実施例を示す縦断面部分説明図である。
【発明を実施するための最良の形態】
【００２３】
上下の端面が開口し、周側面が正面板部、背面板部、左側面板部、右側面板部から設けられ、内方が収容部に設けられる方形函主体と、該方形函主体の上下の端面の開口に連接して内方を閉鎖し、かつ、折畳み時の方形函主体を内方に収容する天蓋板部と底蓋板部よりなる方形函付属体とから設けられるコンテナにおいて、前記方形函主体の左側面板部と右側面板部が正面側と背面側に分割して設けられると共に夫々の分割端が中間連結縦長軸蝶番により夫々二つ折り自在に連結され、前記方形函主体の正面板部における左側端部と右側端部に前記左側面板部の正面側左側面板部と右側面板部の正面側右側面板部が夫々基端連結縦長軸蝶番により内方に曲折自在に連結され、前記方形函主体の正面板部と前記方形函付属体の天板蓋部の正面壁部とに正面板部連結横長軸蝶番が配備されて方形函主体の正面板部が方形函付属体の天板蓋部に対して曲折自在に連結され、前記方形函主体の背面板部における左側端部と右側端部に前記左側面板部の背面側左側面板部と右側面板部の背面側右側面板部が夫々基端連結縦長軸蝶番により内方に曲折自在に連結され、前記方形函主体の背面板部と前記方形函付属体の底板蓋部の背面壁部とに背面板部連結横長軸蝶番が配備されて方形函主体の背面板部が方形函付属体の底板蓋部に対して曲折自在に連結され、前記方形函主体の正面板部は、その上端面が前記方形函付属体の天板蓋部の正面壁部の下端面に、その下端面が前記方形函付属体の底板蓋部の正面壁部の上端面に夫々に連接可能に、方形函主体の正面板部が前記方形函付属体の天板蓋部と底板蓋部の内側に格納可能に設けられ、前記方形函主体の背面板部は、組立時に、その上端面が前記方形函付属体の天板蓋部の背面壁部の下端面に、その下端面が前記方形函付属体の底板蓋部の背面壁部の上端面に夫々に連接可能に、方形函主体の背面板部が前記方形函付属体の天板蓋部と底板蓋部の内側に格納可能に設けられ、前記方形函主体の左側面板部は、中間から正面側左側面板部と背面側左側面板部に二分割されて設けられ、その正面側左側面板部の正面側左側面板部基端部は、内側へ所要幅曲折して内端面が形成され、該内端面が、前記正面板部の左側端面に対面し、前記背面側左側面板部の背面側左側面板部基端部は、内側へ所要幅曲折して内端面が形成され、該内端面が、前記背面板部の左側端面に対面し、前記方形函主体の左側面板部の正面側左側面板部の中間連結部寄り外面と背面側左側面板部の中間連結部寄り外面に中間連結縦長軸蝶番が差渡されて配備され、正面側左側面板部と背面側左側面板部は内側に曲折自在に連結され、前記方形函主体の右側面板部は、中間から正面側右側面板部と背面側右側面板部に二分割されて設けられ、その正面側右側面板部基端部は、内側へ所要幅曲折して内端面が形成され、該内端面が、前記方形函主体の正面板部の右側端面に対面し、前記背面側右側面板部の背面側右側面板部基端部は、内側へ所要幅曲折して内端面が形成され、該内端面が、前記背面板部の右側端面に対面し、前記方形函主体の右側面板部の正面側右側面板部の中間連結部寄り外面と背面側右側面板部の中間連結部寄り外面に中間連結縦長軸蝶番が差渡されて配備され、正面側右側面板部と背面側右側面板部は内側に曲折自在に連結され、前記方形函付属体の天板蓋部は、天面板部の周囲に、正面壁部、背面壁部、左側面壁部及び右側面壁部が接続されて方形函型に形成され、該天板蓋部と前記方形函主体の連結構成により天板蓋部の下端面が前記方形函主体の正面板部、背面板部、左側面板部及び右側面板部の上端面に連接するように設けられ、前記方形函付属体の底板蓋部は、底面板部の周囲に、正面壁部、背面壁部、左側面壁部及び右側面壁部が接続されて方形函型に形成され、該底板蓋部と前記方形函主体の連結構成により底板蓋部の上端面が方形函主体の正面板部、背面板部、左側面板部及び右側面板部の下端面に連接するように設けられてなるコンテナ。
【実施例】
【００２４】
本発明のコンテナを実施例として図面に示すコンテナ１より説明すると、該コンテナ１は、上端面２ａと下端面２ｂが開口し、周側面２ｃが正面板部２ｃ１、背面板部２ｃ２、左側面板部２ｃ３、右側面板部２ｃ４から設けられ、内方が収容部２ｄの方形の函体に組立てと板状体に折畳みができる方形函主体２と、該方形函主体２の組立時にその上端面２ａと下端面２ｂの開口に連接して内方を閉鎖すると共に前記方形函主体２の折畳み時にそれらを内方に収容する天板蓋部３と底板蓋部４よりなる方形函付属体５から設けられる。
【００２５】
前記方形函主体２の正面板部２ｃ１について、その上下の幅は、上端面２ｃ１ａが前記天板蓋部３の正面壁部３２の下端面３６に、下端面２ｃ１ｂが前記底板蓋部４の正面壁部４２の上端面４６に夫々に連接する長さに設けられ、その左側端面２ｃ１ｃと右側端面２ｃ１ｄの間の左右幅は、その左側端面２ｃ１ｃが前記左側面板部２ｃ３における正面側左側面板部２ｃ３ｃの正面側左側面板部基端部２ｃ３ｃ１の内端面２ｃ３ｃ１１に、その右側端面２ｃ１ｄが前記右側面板部２ｃ４における正面側右側面板部２ｃ４ｃの正面側右側面板部基端部２ｃ４ｃ１の内端面２ｃ４ｃ１１に夫々内側から連接する長さに設けられる。
【００２６】
前記方形函主体２の正面板部２ｃ１の左側端面２ｃ１ｃ寄り内面と前記左側面板部２ｃ３の正面側左側面板部基端部２ｃ３ｃ１の内面とには正面左側連結縦長軸蝶番６ａが配備されて左側面板部２ｃ３の正面側左側面板部２ｃ３ｃが正面板部２ｃ１に対して内側に曲折自在に連結され、反対の前記正面板部２ｃ１の右側端面２ｃ１ｄ寄りの内面と前記右側面板部２ｃ４の正面側右側面板部２ｃ４ｄの内面とには正面右側連結縦長軸蝶番６ｂが配備されて右側面板部２ｃ４の正面側右側面板部２ｃ４ｃが正面板部２ｃ１に対して内側に曲折自在に連結される。
【００２７】
前記方形函主体２の正面板部２ｃ１の上端面２ｃ１ａ寄り内面と前記天板蓋部３の正面壁部３２の下端面３６寄り内面とには正面板部連結横長軸蝶番７ａが配備されて正面板部２ｃ１が天板蓋部３に対して曲折自在に連結される。
【００２８】
前記方形函主体２の背面板部２ｃ２は、その上下の幅と左右の幅は前記正面板部２ｃ１と同一に設けられる。すなわち、上端面２ｃ２ａが前記天板蓋部３の背面壁部３３の下端面３６に、下端面２ｃ２ｂが前記底板蓋部４の背面壁部４３の上端面４６に夫々に連接する長さに設けられ、その左側端面２ｃ２ｃと右側端面２ｃ２ｄの間の左右幅は、その左側端面２ｃ２ｃが前記左側面板部２ｃ３における背面側左側面板部２ｃ３ｄの背面側左側面板部基端部２ｃ３ｄ１の内端面２ｃ３ｄ１１に内側から連接する長さに、その右側端面２ｃ２ｄが前記右側面板部２ｃ４における背面側右側面板部２ｃ４ｄの背面側右側面板部基端部２ｃ４ｄ１の内端面２ｃ４ｄ１１に内側から連接する長さに夫々設けられる。
【００２９】
前記方形函主体２の背面板部２ｃ２の左側端面２ｃ２ｃ寄り内面と前記左側面板部２ｃ３の背面側左側面板部基端部２ｃ３ｄ１の内面とには背面左側連結縦長軸蝶番６ｃが配備されて左側面板部２ｃ３の背面側左側面板部２ｃ３ｄが背面板部２ｃ２に対して内側に曲折自在に連結され、反対の前記背面板部２ｃ２の右側端面２ｃ２ｄ寄り内面と前記右側面板部２ｃ４の背面側右側面板部基端部２ｃ４ｄ１の内端面２ｃ４ｄ１１寄り内面とに配備される背面右側連結縦長軸蝶番６ｄより右側面板部２ｃ４の背面側右側面板部２ｃ４ｄが背面板部２ｃ２に対して内側に曲折自在に連結される。
【００３０】
前記方形函主体２の背面板部２ｃ２の下端面２ｃ２ｂ寄り内面と前記底板蓋部４の背面壁部３３の上端面４６寄り内面とに背面板部連結横長軸蝶番７ｂが配備されて背面板部２ｃ２が底板蓋部４に対して曲折自在に連結される。
【００３１】
前記方形函主体２の左側面板部２ｃ３は、中間から正面側左側面板部２ｃ３ｃと、背面側左側面板部２ｃ３ｄとに二分割されて設けられ、その正面側左側面板部２ｃ３ｃの正面側左側面板部基端部２ｃ３ｃ１は、内側へ所要幅曲折して内端面２ｃ３ｃ１１が形成される。該内端面２ｃ３ｃ１１が、前述のように、前記正面板部２ｃ１の左側端面２ｃ１ｃに外側から対面する。前記背面側左側面板部２ｃ３ｄの背面側左側面板部基端部２ｃ３ｄ１は、内側へ所要幅曲折して内端面２ｃ３ｄ１１が形成される。該内端面２ｃ３ｄ１１が、前述のように、前記背面板部２ｃ２の左側端面２ｃ２ｃに外側から連接する。
【００３２】
前記方形函主体２の右側面板部２ｃ４は、中間から正面側右側面板部２ｃ４ｃと、背面側右側面板部２ｃ４ｄとに二分割されて設けられ、その正面側右側面板部基端部２ｃ４ｃ１は、内側へ所要幅曲折して内端面２ｃ４ｃ１１が形成される。該内端面２ｃ４ｃ１１が、前述のように、前記正面板部２ｃ１の右側端面２ｃ１ｄに外側から連接する。背面側右側面板部２ｃ４ｄの背面側右側面板部基端部２ｃ４ｄ１は、内側へ所要幅曲折して内端面２ｃ４ｄ１１が形成される。該内端面２ｃ４ｄ１１が、前述のように、前記背面板部２ｃ２の右側端面２ｃ２ｄに外側から連接する。
【００３３】
前記方形函主体２の左側面板部２ｃ３の正面側左側面板部２ｃ３ｃの正面側左側面板部中間連結部２ｃ３ｃ２寄り外面と背面側左側面板部２ｃ３ｄの背面側左側面板部中間連結部２ｃ３ｄ２寄り外面に左中間連結縦長蝶番８ａが差渡されて配備され、正面側左側面板部２ｃ３ｃと背面側左側面板部２ｃ３ｄは内側に曲折自在に連結される。
【００３４】
前記方形函主体２の右側面板部２ｃ４の正面側右側面板部２ｃ４ｃの正面側右側面板部中間連結部２ｃ４ｃ２寄り外面と背面側右側面板部２ｃ４ｄの背面側右側面板部中間連結部２ｃ４ｄ２寄り外面に右中間連結縦長蝶番８ｂが差渡されて配備され、正面側右側面板部２ｃ４ｃと背面側右側面板部２ｃ４ｄは内側に曲折自在に連結される。
【００３５】
前記天板蓋部３は、天面板部３１の周囲に正面壁部３２、背面壁部３３、左側面壁部３４及び右側面壁部３５からなる方形函型で、同一長さで垂下設されて下端面３６が形成され、該下端面３６は、前記方形函主体２と天板蓋部３との連結構成により、前記方形函主体２の正面板部２ｃ１の上端面２ｃ１ａと背面板部２ｃ２の上端面２ｃ２ａと左側面板部２ｃ３の上端面２ｃ３ａと右側面板部２ｃ４の上端面２ｃ４ａに連接する。
【００３６】
前記底板蓋部４は、底面板部４１の周囲に、正面壁部４２、背面壁部４３、左側面壁部４４及び右側面壁部４５からなる方形函型で、同一長さで垂上設されて上端面４６が形成され、該上端面４６は、前記方形函主体２と底板蓋部４との連結構成により、前記方形函主体２の正面板部２ｃ１の下端面２ｃ１ｂと背面板部２ｃ２の下端面２ｃ２ｂと左側面板部２ｃ３の下端面２ｃ３ｂと右側面板部２ｃ４の下端面２ｃ４ｂに連接する。
【００３７】
本発明の実施例のコンテナ１は、前記のように方形函主体２と方形函付属体５を構成する天板蓋部３及び底板蓋部４よりなるから、図１の組立完了状態において、底板蓋部４を床面等に定置し、左側面板部２ｃ３と右側面板部２ｃ４の中間連結部を夫々内側に押し込み、また、天板蓋部３を背面側へ水平方向に移動させると、左側面板部２ｃ３と右側面板部２ｃ４は、夫々の正面左側連結縦長軸蝶番６ａ、正面右側連結縦長軸蝶番６ｂ、背面左側連結縦長軸蝶番６ｃ、背面右側連結縦長軸蝶番６ｄと左中間連結縦長軸蝶番８ａ、右中間連結縦長軸蝶番８ｂを中心に回動し、図５及び図６に示すように夫々が二つ折りされ、天板蓋部３と底板蓋部４を前後に齟齬し、正面板部２ｃ１と背面板部２ｃ２との間に折畳むことができるものである。
【００３８】
次に、底板蓋部４の定置を床面に維持した状態で、天板蓋部３を正面板部２ｃ１側に移動し、かつ背面板部２ｃ２の背面板部連結横長軸蝶番７ｂと正面板部２ｃ１の正面板部連結横長軸蝶番７ａを中心に正面板部２ｃ１と背面板部２ｃ２と左側面板部２ｃ３及び右側面板部２ｃ４と共に移動方向に転倒させ、図７及び図８に示すように底板蓋部４上に天板蓋部３を積重し、それらの内方に折畳み状態の方形函主体を収容することができる。
【００３９】
前記天板蓋部３の左側面壁部３４と底板蓋部４の左側面壁部４４とにおいて、正面板部２ｃ１寄りと背面板部２ｃ２寄りの二個所で、かつ、上下に対応して正面寄左ロック具９ａ１と背面寄左ロック具９ａ２が配備される。
【００４０】
前記天板蓋部３の右側面壁部３５と底板蓋部４の右側面壁部４５において、正面板部２ｃ１寄りと背面板部２ｃ２寄りの二個所で、かつ、上下に対応して正面寄右ロック具９ｂ１と背面寄右ロック具９ｂ２が配備される。
【００４１】
前記正面寄左ロック具９ａ１は、天板蓋部３の左側面壁部３４の正面板部２ｃ１寄りに配備される正面寄左雌部９ａ１１と底板蓋部４の左側面壁部４４の正面板部２ｃ１寄りに配備される正面寄左雄部９ａ１２から設けられ、それら対応部間のロックと開放を行なえるものである。
【００４２】
前記背面寄左ロック具９ａ２は、天板蓋部３の左側面壁部３４の背面板部２ｃ２寄りに配備される背面寄左雌部９ａ２１と底板蓋部４の右側面壁部４５の背面板部２ｃ２寄りに配備される背面寄左雄部９ａ２２から設けられ、それら対応部間のロックと開放を行なえるものである。
【００４３】
前記正面寄右ロック具９ｂ１は、天板蓋部３の右側面壁部３５の正面板部２ｃ１寄りに配備される正面寄右雌部９ｂ１１と底板蓋部４の右側面壁部４５の正面板部２ｃ１寄りに配備される正面寄右雄部９ｂ１２から設けられ、それら対応部間のロックと開放を行なえるものである。
【００４４】
前記背面寄右ロック具９ｂ２は、天板蓋部３の右側面壁部３５の正面板部２ｃ１寄りに配備される正面寄右雌部９ｂ２１と底板蓋部４の右側面壁部４５の背面板部２ｃ２寄りに配備される背面寄右雄部９ｂ２２から設けられ、それら対応部間のロックと開放を行なえるものである。
【００４５】
次に、前記方形函主体２の左側面板部２ｃ３の正面側左側面板部２ｃ３ｃの正面板部２ｃ１寄り外面には、前記底板蓋部４の左側面壁部４４上に配備された前記正面寄左雄部９ａ１２に上方から対応する正面寄左第２雌部９ａ１３と、天板板蓋部３の左側面壁部３４上に配備された前記正面寄左雌部９ａ１１に下方から対応する正面寄左第２雄部９ａ１４が配備される。
【００４６】
前記方形函主体２の左側面板部２ｃ３の背面側左側面板部２ｃ３ｄの背面板部２ｃ２寄り外面には、前記底板蓋部４の左側面壁部４４上に配備された前記背面寄左雄部９ａ２２に上方から対応する背面寄左第２雌部９ａ２３と、天板蓋部３の左側面壁部３４上に配備された前記正面寄左雌部９ａ２１に下方から対応する背面寄左第２雄部９ａ２４が配備される。
【００４７】
前記方形函主体２の右側面板部２ｃ４の正面側右側面板部２ｃ４ｃの正面板部２ｃ１寄り外面には、前記底板蓋部４の右側面壁部４５上に配備された前記正面寄右雄部９ｂ１２に上方から対応する正面寄右第２雌部９ｂ１３と、天板蓋部３の右側面壁部４５上に配備された前記正面寄右雌部９ｂ１１に下方から対応する正面寄右第２雄部９ｂ１４が配備される。
【００４８】
前記方形函主体２の右側面板部２ｃ４の背面側右側面板部２ｃ４ｄの背面板部２ｃ２寄り外面には、前記底板蓋部４の右側面壁部４５上に配備された前記背面寄右雄部９ｂ２２に上方から対応する背面寄右第２雌部９ｂ２３と、天板蓋部３の右側面壁部３５上に配備された前記背面寄右雌部９ｂ２１に下方から対応する背面寄左第２雄部９ｂ２４が配備される。
【００４９】
前記配備された正面寄左ロック具９ａ１の正面寄左雌部９ａ１１と正面寄左第２雄部９ａ１４を、正面寄左ロック具９ａ１の正面寄左雄部９ａ１２と正面寄左第２雌部９ａ１３を夫々結合ロックする。同様に、前記背面寄左ロック具９ａ２の背面寄左雌部９ａ２１と背面寄左第２雄部９ａ２４を、前記背面寄左ロック具９ａ２の背面寄左雄部９ａ２２と背面寄左第２雌部９ａ２３を夫々結合ロックする。
【００５０】
同様に、前記正面寄右ロック具９ｂ１の正面寄右雌部９ｂ１１と正面寄右第２雄部９ｂ１４を、正面寄右ロック具９ｂ１の正面寄右雄部９ｂ１２と正面寄右第２雌部９ｂ１３を夫々結合ロックする。同様に、前記背面寄右ロック具９ｂ２の背面寄右雌部９ｂ２１と背面寄右第２雄部９ｂ２４を、前記背面寄右ロック具９ｂ２の背面寄右雄部９ｂ２２と背面寄右第２雌部９ｂ２３を夫々結合ロックする。
【００５１】
以上、本発明の実施例のコンテナ１は、前記配備された正面寄左ロック具９ａ１、背面寄左ロック具９ａ２、正面寄右ロック具９ｂ１、背面寄右ロック具９ｂ２が夫々対応部材に結合することによって、本発明の実施例のコンテナ１は、図１及び図２の組立完了状態にロックされるものである。
【００５２】
本発明の実施例のコンテナ１において、方形函主体２の正面板部２ｃ１と天板蓋部３の正面壁部３２を連結する正面板部連結横長軸蝶番７ａが、起立状態の正面板部２ｃ１に対して９０°以上回転する軸支構造を有する実施例のものでは、前記天板蓋部３をロックするロック具、すなわち、正面寄左第２雄部９ａ１４に対して正面寄左雄部９ａ１１を、背面寄左第２雌部９ａ２４に対して背面寄左雌部９ａ２１を夫々開放する。
【００５３】
同様に、正面寄右第２雄部９ｂ１４に対して正面寄右雄部９ｂ１２を、背面寄右第２雄部９ａ２４に対して背面寄右雌部９ｂ２１を夫々開放する。また、正面寄右第２雄部９ｂ１２に対して正面寄右第２雌部９ｂ１３を、背面寄右第雄部９ｂ２２に対して背面寄右第２雌部９ｂ２３を夫々開放する。
【００５４】
上記のロック開放により天板蓋部３を正面板部２ｃ１の正面板部連結横長軸蝶番７ａを中心に回転してコンテナ１の上端部を開放することができ、開放部を利用して内方に収容物を収容し、又は収容物を外に取り出すことができる。内容物の処理後は、天板蓋部３を、前記正面板部連結横長軸蝶番７ａを中心に戻し回転してコンテナ１の上端面２ａを閉鎖し、その後、前記の正面寄左ロック具９ａ１、背面寄左ロック具９ａ２、正面寄右ロック具９ｂ１、背面寄右ロック具９ｂ２によりロックすることができる。
【００５５】
次に、天板蓋部３に開閉口１０を設ける実施例について、図１０及び図１１により説明すると、天板蓋部３に対して上下に二分割し、天板蓋部基体３ａと天板蓋部蓋体３ｂが設けられる。そして、前記天板蓋部基体３ａは、正面壁部３ａ２、背面壁部３ａ３、左側面壁部３ａ４、右側面壁部３ａ５からなる方形空胴部に上端面３ａ１と下端面３ａ６が形成され、前記天板蓋部蓋体３ｂは、上天板部３ｂ１を具えて正面壁部３ｂ２、背面壁部３ｂ３、左側面壁部３ｂ４、右側面壁部３ｂ５の方形収容部に前記天板蓋部基体３ａの上端面３ａ１に連接する下端面３ｂ６が形成されて設けられる。
【００５６】
前記天板蓋部基体３ａの左側面壁部３ａ４と天板蓋部蓋体３ｂの左側面壁部３ｂ４には、開閉用横長蝶番１１が上下に差渡されて取付けられ、天板蓋部基体３ａに対して天板蓋部蓋体３ｂが開閉自在に連結され、かつ、前記天板蓋部基体３ａの右側面壁部３ａ５と前記天板蓋部蓋体３ｂの右側面壁部３ｂ５には開閉ロック具１２が配備されて両者の開閉がロック自在に設けられる。
【００５７】
図面に示す実施例では、開閉ロック具１２は、正面板部側開閉ロック具１２ａと背面板部側開閉ロック具１２ｂから構成され、前記正面板部側開閉ロック具１２ａは雌部１２ａ１と雄部１２ａ２から設けられ、前記背面板部側開閉ロック具１２ｂは、雌部１２ｂ１と雄部１２ｂ２から設けられる。
【００５８】
天板蓋部３に開閉口１０を設ける実施例によれば、コンテナ１の組立状態において、天板蓋部蓋体３ｂの開閉ロック具１２を開放して天板蓋部蓋体３ｂが開閉用横長蝶番１１を中心に回動して開閉口１０を開口して収容物の出し入れを行うなうことができる。
【００５９】
次に、天板蓋体３の正面壁部３２と方形函主体２の正面板部２ｃ１を連結する正面板部連結横長軸蝶番７ａの第１実施例として図１２に示すように正面板部連結横長軸蝶番本体部７ａ１の如く設けてもよいものである。すなわち、方形函主体２の正面板部２ｃ１に対して天板蓋部３の正面壁部３２を矢印Ｃ１の方向へ、支軸部７ａ２を中心に回動させることができるように設けている。この作動によって天板蓋部３を方形函主体２に対して開口することができ、収容物の出入作業を行うことができる。
【００６０】
また、方形函主体２の正面板部２ｃ１を、支軸部７ａ２を中心に天板蓋部３を矢印Ｄ１の方向に回動させることができるように設けている。この回動によって、格納時に方形函主体２の正面板部２ｃ１、背面板部２ｃ２、左側面板部２ｃ３及び右側面板部２ｃ４を折畳んで天板蓋部３と底板蓋部４内方に収容することができるものである。
【００６１】
次に、天板蓋部３の正面壁部３２と方形函主体２の正面板部２ｃ１を連結する正面板部連結横長軸蝶番７ａの第２実施例として図１３に示すように正面板部連結横長軸蝶番横長蝶番本体部７ａ３の如く設けもよいものである。すなわち、天板蓋部３の正面壁部３２を方形函主体２の正面板部２ｃ１に対して矢印Ｃ２の方向へ、支軸部７ａ４を中心に回動させることができないように設けている。そこで、前記のように、天板蓋部３に対して上下に二分割し、天板蓋部基体３ａと天板蓋部蓋体３ｂを設け、天板蓋部蓋体３ｂを展開可能に設けて開閉口１０を配備したものである。
【００６２】
また、方形函主体２の正面板部２ｃ１を、支軸部７ａ４を中心に矢印Ｄ２の方向に回動させることができるように設けている。この回動によって、方形函主体２を折畳んで天板蓋部３と底板蓋部４との内側に収容することができるものである。
【００６３】
前記方形函主体２と、その上下端に天板蓋部３と底板蓋部４とが連接して組立完了状態にロックする前記正面寄左ロック具９ａ１、背面寄左ロック具９ａ２、正面寄右ロック具９ｂ１、背面寄右ロック具９ｂ２は、方形函主体２の正面板部２ｃ１と背面板部２ｃ２と天板蓋部３の正面壁部３２と背面壁部３３と底板蓋部４の正面壁部４２と背面壁部４３に配備してもよいものである。
【００６４】
また、前記方形函主体２と、その上下端に天板蓋部３と底板蓋部４とが連接して組立完了状態にロックする前記正面寄左ロック具９ａ１、背面寄左ロック具９ａ２、正面寄右ロック具９ｂ１、背面寄右ロック具９ｂ２は、左右の二個所に限定されるものではなく、左右に三ヶ所以上増設しても、また、それら増設箇所と上下に対応する各部を増設してもよいものである。
【産業上の利用可能性】
【００６５】
本発明のコンテナは、この種、コンテナの堅牢化、組立て及び折畳み作業の簡易化、収容物の出入作業の容易化及び収容物の保護の強化を得られるものである。
【符号の説明】
【００６６】
１  コンテナ
２  方形函主体
２ａ  上端面
２ｂ  下端面
２ｃ  周側面
２ｃ１  正面板部
２ｃ１ａ  上端面
２ｃ１ｂ  下端面
２ｃ１ｃ  左側端面
２ｃ１ｄ  右側端面
２ｃ２  背面板部
２ｃ２ａ  上端面
２ｃ２ｂ  下端面
２ｃ２ｃ  左側端面
２ｃ２ｄ  右側端面
２ｃ３  左側面板部
２ｃ３ａ  上端面
２ｃ３ｂ  下端面
２ｃ３ｃ  正面側左側面板部
２ｃ３ｃ１  正面側左側面板部基端部
２ｃ３ｃ１１  内端面
２ｃ３ｃ２  正面側左側面板部中間連結部
２ｃ３ｄ  背面側左側面板部
２ｃ３ｄ１  背面側左側面板部基端部
２ｃ３ｄ１１  内端面
２ｃ３ｄ２  背面側左側面板部中間連結部
２ｃ４  右側面板部
２ｃ４ａ  上端面
２ｃ４ｂ  下端面
２ｃ４ｃ  正面側右側面板部
２ｃ４ｃ１  正面側右側面板部基端部
２ｃ４ｃ１１  内端面
２ｃ４ｃ２  正面側右側面板部中間連結部
２ｃ４ｄ  背面側右側面板部
２ｃ４ｄ１  背面側右側面板部基端部
２ｃ４ｄ１１  内端面
２ｃ４ｄ２  背面側右側面板部中間連結部
２ｄ  収容部
３  天板蓋部
３１  天面板部
３２  正面壁部
３３  背面壁部
３４  左側面壁部
３５  右側面壁部
３６  下端面
３ａ  天板蓋部基体
３ａ１  上端面
３ａ２  正面壁部
３ａ３  背面壁部
３ａ４  左側面壁部
３ａ５  右側面壁部
３ａ６  下端面
３ｂ  天板蓋部蓋体
３ｂ１  天板部
３ｂ２  正面壁部
３ａ３  背面壁部
３ｂ４  左側面壁部
３ｂ５  右側面壁部
３ｂ６  下端面
４  底板蓋部
４１  底面板部
４２  正面壁部
４３  背面壁部
４４  左側面壁部
４５  右側面壁部
４６  上端面
５  方形函附属体
６ａ  正面左側連結縦長軸蝶番
６ａ１  本体部
６ａ１２  支軸部
６ｂ  正面右側連結縦長軸蝶番
６ｃ  背面左側連結縦長軸蝶番
６ｄ  背面右側連結縦長軸蝶番
７ａ  正面板部連結横長軸蝶番
７ａ１  第１実施例の正面板部連結横長軸蝶番本体部
７ａ２  支軸部
７ａ３  第２実施例の正面板部連結横長軸蝶番本体部
７ａ４  支軸部
７ｂ  背面板部連結横長軸蝶番
８ａ  左中間連結縦長軸蝶番
８ｂ  右中間連結縦長軸蝶番
９ａ１  正面寄左ロック具
９ａ１１  正面寄左雌部
９ａ１２  正面寄左雄部
９ａ１３  正面寄左第２雌部
９ａ１４  正面寄左第２雄部
９ａ２  背面寄左ロック具
９ａ２１  背面寄左雌部
９ａ２２  背面寄左雄部
９ａ２３  背面寄左第２雌部
９ａ２４  背面寄左第２雄部
９ｂ１  正面寄右ロック具
９ｂ１１  正面寄右雌部
９ｂ１２  正面寄右雄部
９ｂ１３  正面寄右第２雌部
９ｂ１４  正面寄右第２雄部
９ｂ２  背面寄右ロック具
９ｂ２１  背面寄右雌部
９ｂ２２  背面寄右雄部
９ｂ２３  背面寄右第２雌部
９ｂ２４  背面寄右第２雄部
１０  開閉口
１１  開閉用横長蝶番
１２  開閉ロック具
１２ａ  正面板部側開閉ロック具
１２ａ１  雌部
１２ａ２  雄部
１２ｂ  背面板部側開閉ロック具
１２ｂ１  雌部
１２ｂ２  雄部
【図１】
2017197227.tif 000003
【図２】
2017197227.tif 000004
【図３】
2017197227.tif 000005
【図４】
2017197227.tif 000006
【図５】
2017197227.tif 000007
【図６】
2017197227.tif 000008
【図７】
2017197227.tif 000009
【図８】
2017197227.tif 000010
【図９】
2017197227.tif 000011
【図１０】
2017197227.tif 000012
【図１１】
2017197227.tif 000013
【図１２】
2017197227.tif 000014
【図１３】
2017197227.tif 000015
【手続補正書】
【提出日】平成28年5月9日(2016.5.9)
【手続補正１】
【補正対象書類名】明細書
【補正対象項目名】０００５
【補正方法】変更
【補正の内容】
【０００５】
【特許文献１】実開平４−１２４９１９号公報
【特許文献２】特開２００５−２５５２４０号公報
【特許文献３】実用新案登録第３１５７７１７号公報